【事件の表示】
　特許第５６８３５４１号に関する訂正審判事件について、次のとおり審決する。
【結　論】
　特許第５６８３５４１号の明細書及び特許請求の範囲を本件審判請求書に添付された訂正明細書及び特許請求の範囲のとおり、訂正後の請求項〔１−６〕について訂正することを認める。
【理　由】
第１　手続の経緯
　本件訂正審判の請求に係る特許第５６８３５４１号（以下，「本件特許」という。）は，平成２４年７月３１日に出願された特願２０１２−１７０４９０号として特許出願され，平成２７年１月２３日に特許権の設定登録がなされ，平成２７年１２月２１日に訂正審判の請求がなされたものである。
　
第２　請求の趣旨
　本件訂正審判の請求は，本件特許の明細書及び特許請求の範囲（以下，「本件特許請求の範囲」という。）を本件審判請求書に添付した訂正明細書及び特許請求の範囲のとおり，訂正後の請求項１〜６について訂正することを認める，との審決を求めるものである。
第３　訂正の内容
１　訂正事項１
　本件特許請求の範囲の請求項１における
「前記複数種類の命令のうちの一の命令（以下，「第一の命令」という。）は，リターン命令であり，」という記載を，
「前記複数種類の命令のうちの一の命令（以下，「第一の命令」という。）は，
演算＆
２　訂正事項２
　本件特許請求の範囲の請求項１における
「前記ＣＰＵは，前記第一の命令を受け付けた場合に，前記第一のレジスタの値が０である場合に，前記第一のゼロフラグおよび前記第二のゼロフラグ（以下，「２つのゼロフラグ」という。）をセットし，呼び出し元の処理に復帰する動作を実行するように構成され，」という記載を，
「前記ＣＰＵは，前記第一の命令を受け付けた場合に，前記第一のレジスタの値
から０を減算する演算を行い，該演算の結果
３　訂正事項３
　本件特許請求の範囲の請求項１における
「前記ＣＰＵは，前記第一の命令を受け付けた場合に，前記第一のレジスタの値が０ではない場合に，前記２つのゼロフラグをクリアし，」という記載を，
「前記ＣＰＵは，前記第一の命令を受け付けた場合に，前記第一のレジスタの値
から０を減算する演算を行い，該演算の結果
４　訂正事項４
　本件特許請求の範囲の請求項１における
「該第一の命令の後続の命令（以下，「第二の命令」という。）を実行するように構成されており，」という記載を，
「該第一の命令の後続の命
令を
５　訂正事項５
　本件特許明細書の段落【０００６】における
「前記複数種類の命令のうちの一の命令（以下，「第一の命令」という。）は，リターン命令であり，」という記載を，
「前記複数種類の命令のうちの一の命令（以下，「第一の命令」という。）は，
演算＆
６　訂正事項６
　本件特許明細書の段落【０００６】における
「前記ＣＰＵは，前記第一の命令を受け付けた場合に，前記第一のレジスタの値が０である場合に，前記第一のゼロフラグおよび前記第二のゼロフラグ（以下，「２つのゼロフラグ」という。）をセットし，呼び出し元の処理に復帰する動作を実行するように構成され，」という記載を，
「前記ＣＰＵは，前記第一の命令を受け付けた場合に，前記第一のレジスタの値
から０を減算する演算を行い，該演算の結果
７　訂正事項７
　本件特許明細書の段落【０００６】における
「前記ＣＰＵは，前記第一の命令を受け付けた場合に，前記第一のレジスタの値が０ではない場合に，前記２つのゼロフラグをクリアし，」という記載を，
「前記ＣＰＵは，前記第一の命令を受け付けた場合に，前記第一のレジスタの値
から０を減算する演算を行い，該演算の結果
８　訂正事項８
　本件特許明細書の段落【０００６】における
「該第一の命令の後続の命令（以下，「第二の命令」という。）を実行するように構成されており，」という記載を，
「該第一の命令の後続の命
令を
９　訂正事項９
　本件特許明細書の段落【２３６９】における
「前記複数種類の命令のうちの一の命令（以下，「第一の命令」という。）は，リターン命令（例えば，「ＣＰＲＴＺ　ｒ」命令（図４２（ａ）））であり，」という記載を，
「前記複数種類の命令のうちの一の命令（以下，「第一の命令」という。）は，
演算＆
１０　訂正事項１０
　本件特許明細書の段落【２３６９】における
「前記ＣＰＵは，前記第一の命令を受け付けた場合に，前記第一のレジスタの値が０である場合に，前記第一のゼロフラグおよび前記第二のゼロフラグ（以下，「２つのゼロフラグ」という。）をセットし，呼び出し元の処理に復帰する動作を実行するように構成され（例えば，段落「０３１７」〜「０３１８」，「０３２１」，「０３３４」〜「０３４１」，図４２（ｂ），図４７，図４８（ａ）参照），」という記載を，
「前記ＣＰＵは，前記第一の命令を受け付けた場合に，前記第一のレジスタの値
から０を減算する演算を行い，該演算の結果
１１　訂正事項１１
　本件特許明細書の段落【２３６９】における
「前記ＣＰＵは，前記第一の命令を受け付けた場合に，前記第一のレジスタの値が０ではない場合に，前記２つのゼロフラグをクリアし，」という記載を，
「前記ＣＰＵは，前記第一の命令を受け付けた場合に，前記第一のレジスタの値
から０を減算する演算を行い，該演算の結果
１２　訂正事項１２
　本件特許明細書の段落【２３６９】における
「該第一の命令の後続の命令（以下，「第二の命令」という。）を実行するように構成されており（例えば，段落「０３１７」〜「０３１８」，「０３２１」，「０３３４」〜「０３４１」，図４２（ｂ），図４７，図４８（ａ）参照），」という記載を，
「該第一の命令の後続の命
令を
第４　当審の判断
　請求人が、訂正事項１は、訂正事項２〜３に係る訂正の内容と整合性を図る訂正である旨主張しているので、訂正事項１の前に、訂正事項２〜３について検討する。
１　訂正事項２について
（１）訂正の目的について
　訂正事項２は，「前記ＣＰＵは，前記第一の命令を受け付けた場合に，前記第一のレジスタの値が０である場合に，前記第一のゼロフラグおよび前記第二のゼロフラグ（以下，「２つのゼロフラグ」という。）をセットし，呼び出し元の処理に復帰する動作を実行するように構成され，」という記載を，「前記ＣＰＵは，前記第一の命令を受け付けた場合に，前記第一のレジスタの値
から０を減算する演算を行い，該演算の結果
（２）新規事項の有無，特許請求の範囲の拡張又は変更の有無について
　本件特許明細書の段落【２３６９】には，「・・・，第一のゼロフラグ（例えば，Ｚフラグ）として機能するビットであり，
　・・・，第二のゼロフラグ（例えば，ＳＺフラグ）として機能するビットであり，
　・・・
　前記複数種類の命令のうちの一の命令（以下，「第一の命令」という。）は，リターン命令（例えば，「ＣＰＲＴＺ　ｒ」命令（図４２（ａ）））であり，
　・・・
　前記ＣＰＵは，前記第一の命令を受け付けた場合に，前記第一のレジスタの値が０である場合に，前記第一のゼロフラグおよび前記第二のゼロフラグ（以下，「２つのゼロフラグ」という。）をセットし，呼び出し元の処理に復帰する動作を実行するように構成され（例えば，段落「０３１７」〜「０３１８」，「０３２１」，「０３３４」〜「０３４１」，図４２（ｂ），図４７，図４８（ａ）参照），」と，
　本件特許明細書の段落【０３１７】には，「・・・
　第２特殊命令の一つである「ＣＰＲＴＺ　ｒ」命令（・・・）は，オペランドｒが示すレジスタ（・・・）に記憶された値から０を減算し，Ｚフラグが１にセットされる状態の場合（減算結果が０の場合。以下，同じ）に，スタックポインタＳＰが示すスタック領域ＳＰに記憶されたデータをプログラムカウンタＰＣの下位アドレスに，また，スタックポインタＳＰが示すスタック領域ＳＰ＋１に記憶されたデータをプログラムカウンタＰＣの上位アドレスにそれぞれロード（復帰）した後にスタックポインタＳＰを２つ加算してからＺフラグを１にセットし，・・・」と，
　本件特許明細書の段落【０３３４】には，「・・・ＣＰＲＴ命令を実行し，所定条件が成立した場合に呼び出し元の第一のモジュールに戻って処理Ｚを行い，・・・」と，
　本件特許明細書の段落【０３３５】には，「ここで，「所定条件が成立した場合」とは，上述の「ＣＰＲＴＺ　ｒ」命令（・・・）であれば，Ｚフラグが１にセットされる状態になった場合であり，・・・」と，
　本件特許明細書の段落【００７２】には，「Ｆレジスタは，命令が実行されると，その実行結果に従ってＦレジスタ内のビット７から順に・・・，Ｚフラグ（ゼロフラグ），ＳＺフラグ（セカンドゼロフラグ），・・・の各フラグが，１または０に変化したり，あるいは変化しなかったりする。ＳＺフラグは，Ｚフラグが変化する命令ではＺフラグ同様に変化するとともに，・・・」と，記載されている。
　上記段落【０３１７】の「オペランドｒが示すレジスタ」「に記憶された値から０を減算し」及び「Ｚフラグが１にセットされる状態の場合（減算結果が０の場合。以下，同じ）」は，それぞれ，本件特許請求の範囲の請求項１における「第一のレジスタの値から０を減算する演算を行い」及び「演算の結果が０である場合」に対応するといえる。
　また，上記段落【０３３４】の「呼び出し元の第一のモジュールに戻って処理Ｚを行い」は，本件特許請求の範囲の請求項１における「呼び出し元の処理に復帰する動作を実行する」に対応するといえる。
　それに，上記段落【００７２】には，「ＳＺフラグは，Ｚフラグが変化する命令ではＺフラグ同様に変化する」点が記載されているから，Ｚフラグに１をセットすることにより，ＳＺフラグにも１をセットする点が記載されているといえる。
　これらのことから，本件特許の願書に添付した特許請求の範囲，明細書及び図面（以下，「本件特許明細書等」という。）には，「前記ＣＰＵは，前記第一の命令を受け付けた場合に，前記第一のレジスタの値
から０を減算する演算を行い，該演算の結果
　以上のことから，訂正事項２は，本件特許明細書の段落【００７２】，【０３１７】，【０３３４】〜【０３３５】，【２３６９】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項２は，訂正の前後で特許請求の範囲に記載された発明の拡張又は変更はないから，実質上特許請求の範囲を拡張し，又は変更するものでもない。
　したがって，訂正事項２は，特許法第１２６条第５項及び第６項の規定に適合する。
　
２　訂正事項３について
（１）訂正の目的について
　訂正事項３は，「前記ＣＰＵは，前記第一の命令を受け付けた場合に，前記第一のレジスタの値が０ではない場合に，前記２つのゼロフラグをクリアし，」という記載を，「前記ＣＰＵは，前記第一の命令を受け付けた場合に，前記第一のレジスタの値
から０を減算する演算を行い，該演算の結果
（２）新規事項の有無，特許請求の範囲の拡張又は変更の有無について
　本件特許明細書の段落【２３６９】には，「・・・，第一のゼロフラグ（例えば，Ｚフラグ）として機能するビットであり，
　・・・，第二のゼロフラグ（例えば，ＳＺフラグ）として機能するビットであり，
　・・・
　前記ＣＰＵは，前記第一の命令を受け付けた場合に，前記第一のレジスタの値が０ではない場合に，前記２つのゼロフラグをクリアし，該第一の命令の後続の命令（以下，「第二の命令」という。）を実行するように構成されており（例えば，段落「０３１７」〜「０３１８」，「０３２１」，「０３３４」〜「０３４１」，図４２（ｂ），図４７，図４８（ａ）参照），」と，
　本件特許明細書の段落【０３１７】には，「・・・
　第２特殊命令の一つである「ＣＰＲＴＺ　ｒ」命令（・・・）は，オペランドｒが示すレジスタ（・・・）に記憶された値から０を減算し，・・・Ｚフラグが０にクリアされる状態の場合（減算結果が０以外の場合。以下，同じ）に，後続の処理のアドレスをプログラムカウンタＰＣにセットしてからＺフラグを０にクリアする命令である。」と，
　本件特許明細書の段落【０３３４】には，「・・・ＣＰＲＴ命令を実行し，所定条件が成立した場合に呼び出し元の第一のモジュールに戻って処理Ｚを行い，所定条件が成立しなかった場合に後続の処理Ｙを実行している。」と，
　本件特許明細書の段落【０３３５】には，「ここで，「所定条件が成立した場合」とは，上述の「ＣＰＲＴＺ　ｒ」命令（・・・）であれば，Ｚフラグが１にセットされる状態になった場合であり，・・・」と，
　本件特許明細書の段落【００７２】には，「Ｆレジスタは，命令が実行されると，その実行結果に従ってＦレジスタ内のビット７から順に・・・，Ｚフラグ（ゼロフラグ），ＳＺフラグ（セカンドゼロフラグ），・・・の各フラグが，１または０に変化したり，あるいは変化しなかったりする。ＳＺフラグは，Ｚフラグが変化する命令ではＺフラグ同様に変化するとともに，・・・」と，記載されている。
　上記段落【０３１７】の「オペランドｒが示すレジスタに記憶された値から０を減算し」及び「Ｚフラグが０にクリアされる状態の場合（減算結果が０以外の場合。以下，同じ）」は，それぞれ，本件特許請求の範囲の請求項１における「第一のレジスタの値から０を減算する演算を行い」及び「演算の結果が０ではない場合」に対応するといえる。
　また，上記段落【０３３４】の「後続の処理Ｙを実行」は，本件特許請求の範囲の請求項１における「第一の命令の後続の命令を実行」に対応するといえる。
　それに，上記段落【００７２】には，「ＳＺフラグは，Ｚフラグが変化する命令ではＺフラグ同様に変化する」点が記載されているから，Ｚフラグを０にクリアすることにより，ＳＺフラグも０にクリアする点が記載されているといえる。
　これらのことから，本件特許明細書には，「前記ＣＰＵは，前記第一の命令を受け付けた場合に，前記第一のレジスタの値
から０を減算する演算を行い，該演算の結果
　以上のことから，訂正事項３は，本件特許明細書の段落【００７２】，【０３１７】，【０３３４】〜【０３３５】，【２３６９】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項３は，訂正の前後で特許請求の範囲に記載された発明の拡張又は変更はないから，実質上特許請求の範囲を拡張し，又は変更するものでもない。
　したがって，訂正事項３は，特許法第１２６条第５項及び第６項の規定に適合する。
３　訂正事項１について
（１）訂正の目的について
　本件特許請求の範囲の請求項１には「前記複数種類の命令のうちの一の命令（以下，「第一の命令」という。）は，リターン命令であり，」と記載されているが，上記訂正事項２〜３の訂正を行うことにより，第一の命令を受け付けた時，第一のレジスタの値が０である場合，呼び出し元の処理に復帰するリターン動作を行うだけでなく，第一のレジスタの値から０を減算する演算を行う点が追加されたため，「リターン命令」という記載が，本件特許請求の範囲の請求項１に記載された内容と整合性がとれなくなり，不明瞭な記載となった。
　訂正事項１は，本件特許明細書の段落【０３１７】の「＜第２特殊命令／ＣＰＲＴ命令（演算＋リターン命令）＞」，「第２特殊命令の一つである「ＣＰＲＴＺ　ｒ」命令」という記載に基づき，訂正事項２〜３と整合性の取れた「前記複数種類の命令のうちの一の命令（以下，「第一の命令」という。）は，
演算＆
　
（２）新規事項の有無，特許請求の範囲の拡張又は変更の有無について
　訂正事項１は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項１は，訂正の前後で特許請求の範囲に記載された発明の拡張又は変更はないから，実質上特許請求の範囲を拡張し，又は変更するものでもない。
　したがって，訂正事項１は，特許法第１２６条第５項及び第６項の規定に適合する。
４　訂正事項４について
（１）訂正の目的について
　本件特許請求の範囲の請求項１には「（以下，「第二の命令」という。）」と記載されているが，この記載の後に「第二の命令」という記載がないため，「（以下，「第二の命令」という。）」という記載が不明瞭な記載となっていた。
　訂正事項４は，「（以下，「第二の命令」という。）」という不明瞭な記載を削除するものであるから，特許法第１２６条第１項ただし書第３号に掲げる，明瞭でない記載の釈明を目的とする訂正に該当する。
　
（２）新規事項の有無，特許請求の範囲の拡張又は変更の有無について
　訂正事項４は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項４は，訂正の前後で特許請求の範囲に記載された発明の拡張又は変更はないから，実質上特許請求の範囲を拡張し，又は変更するものでもない。
　したがって，訂正事項４は，特許法第１２６条第５項及び第６項の規定に適合する。
５　訂正事項５〜１２について
（１）訂正の目的について
　訂正事項５〜１２は，本件特許明細書の段落【０００６】，【２３６９】の記載を，上記第３「１　訂正事項２」〜「４　訂正事項４」による訂正後の記載に整合させるものであるから，特許法第１２６条第１項ただし書第３号に掲げる，明瞭でない記載の釈明を目的とする訂正に該当する。
　
（２）新規事項の有無，特許請求の範囲の拡張又は変更の有無について
　訂正事項５〜１２は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項５〜１２は，訂正の前後で特許請求の範囲に記載された発明の拡張又は変更はないから，実質上特許請求の範囲を拡張し，又は変更するものでもない。
　したがって，訂正事項５〜１２は，特許法第１２６条第５項及び第６項の規定に適合する。
６　独立特許要件について
　特許請求の範囲の減縮を目的とする訂正事項２〜３は請求項１に関する訂正であり、訂正後の請求項２〜６は訂正後の請求項１を引用している。
　訂正後の請求項１〜６に係る発明が特許出願の際独立して独立して特許を受けることができるか検討すると，訂正後の請求項１〜６に係る発明が特許出願の際独立して特許を受けることができない理由を発見することはできない。
　したがって，訂正事項２〜３は，特許法第１２６条第７項の規定に適合する。
　
第５　むすび 
　したがって，本件訂正審判の請求は，特許法第１２６条第１項ただし書第１号又は第３号に掲げる事項を目的とし，かつ，同条第５〜７項の規定に適合する。
　
　よって，結論のとおり審決する。